(57)【特許請求の範囲】
【請求項１】
駆動モータと、この駆動モータで回転する回転軸と、この回転軸の軸方向に沿って端部が固定された多数の鎖で構成した剥離部材とを備え、
前記回転軸の回転による遠心力で、前記剥離部材を壁面の塗膜に接触させて剥離することを特徴とする壁面塗膜除去装置。
【請求項２】
前記駆動モータと、前記回転軸と、前記剥離部材とを、壁面側を開口した箱状本体に備え、
前記箱状本体を前記壁面に沿って移動させる移動機構を有することを特徴とする請求項１に記載の壁面塗膜除去装置。
【請求項３】
前記駆動モータ及び前記移動機構を制御する制御装置を備え、
前記制御装置で遠隔操作可能に構成したことを特徴とする請求項２に記載の壁面塗膜除去装置。
【請求項４】
前記回転軸を移動させて前記剥離部材による前記壁面の塗膜の剥離幅を変化させる剥離調節手段を有することを特徴とする請求項１乃至請求項３のいずれか１項に記載の壁面塗膜除去装置。
【発明の詳細な説明】
【０００１】
【発明の属する技術分野】
この発明は、壁面の塗膜を除去する壁面塗膜除去装置に関する。
【０００２】
【従来の技術】
例えば、石油備蓄タンク等の垂直壁面の塗り替えを行なう場合、壁面の塗膜を除去して再度塗装する作業が行なわれる。
【０００３】
この壁面の塗膜を除去する作業は、ケレンハンマで叩き、ハンドスクレーパで削り取り、ワイヤブラシやケレン用タワシで擦る等の手作業であった。また、空気式高速多芯タガネやサンダ等の電動工具で壁面を叩き、あるいは削り取っていた。また、実開平５−２６５００号に記載されるように、主軸の回転で剥離金具の遠心力で打撃して塗膜を除去するものがある。
【０００４】
【発明が解決しようとする課題】
従来のケレンハンマ、ハンドスクレーパ、ワイヤブラシやケレン用タワシ等の手作業は、作業能率・作業環境が悪い。また、空気式高速多芯タガネやサンダ等の電動工具、実開平５−２６５００号のものでは、壁面を痛めやすく、均一な作業が困難であった。特に、エアタガネは大容量のコンプレッサが別途必要で、エネルギ効率が低い等の問題があった。
【０００５】
この発明は、かかる実情に鑑みてなされたもので、作業の機械化により作業能率、作業環境の改善を向上させ、しかも低コストで壁面を痛めることなく、均一な塗膜除去作業が可能な壁面塗膜除去装置を提供することを目的としている。
【０００６】
【課題を解決するための手段】
前記課題を解決し、かつ目的を達成するために、この発明は、以下のように構成した。
【０００７】
請求項１に記載の発明は、
『駆動モータと、この駆動モータで回転する回転軸と、この回転軸の軸方向に沿って端部が固定された多数の鎖で構成した剥離部材とを備え、
前記回転軸の回転による遠心力で、前記剥離部材を壁面の塗膜に接触させて剥離することを特徴とする壁面塗膜除去装置。』である。
【０００８】
この請求項１に記載の発明によれば、回転軸の回転による遠心力で、剥離部材を壁面の塗膜に接触させて剥離することで、剥離部材はしなやかさがあるので壁面の凹凸の表面に対応が可能であり、壁面に溶接線や段差などがある箇所でも作業が可能となり、作業の機械化により作業能率、作業環境の改善を向上させ、しかも低コストで壁面を痛めることなく、均一な塗膜除去作業ができる。
【０００９】
請求項２に記載の発明は、
『前記駆動モータと、前記回転軸と、前記剥離部材とを、壁面側を開口した箱状本体に備え、
前記箱状本体を前記壁面に沿って移動させる移動機構を有することを特徴とする請求項１に記載の壁面塗膜除去装置。』である。
【００１０】
この請求項２に記載の発明によれば、駆動モータと、回転軸と、剥離部材とを備える箱状本体を壁面に沿って移動させることで、作業能率を向上させることができる。
【００１１】
請求項３に記載の発明は、
『前記駆動モータ及び前記移動機構を制御する制御装置を備え、
前記制御装置で遠隔操作可能に構成したことを特徴とする請求項２に記載の壁面塗膜除去装置。』である。
【００１２】
この請求項３に記載の発明によれば、制御装置で駆動モータ及び移動機構を遠隔操作することで、作業能率を向上させることができる。
【００１３】
請求項４に記載の発明は、『前記回転軸を移動させて前記剥離部材による前記壁面の塗膜の剥離幅を変化させる剥離調節手段を有することを特徴とする請求項１乃至請求項３のいずれか１項に記載の壁面塗膜除去装置。』である。
【００１４】
この請求項４に記載の発明によれば、回転軸を移動させて剥離部材による壁面の塗膜の剥離幅を変化させることで、塗膜状態に応じた塗膜の剥離が可能であり、壁面を痛めることなく、均一な塗膜除去作業が可能である。
【００２３】
【発明の実施の形態】
以下、この発明の壁面塗膜除去装置の実施の形態を図面に基づいて説明するが、この発明は、この実施の形態に限定されない。
【００２４】
図１は壁面塗膜除去装置の構成図、図２は壁面塗膜除去装置の内部の左側面図、図３は壁面塗膜除去装置の内部の右側面図、図４は回転軸に剥離部材を取り付ける位置を示す図、図５は回転停止状態を示す開口部側から見た図、図６は回転状態を示す開口部側から見た図、図７は塗装面の剥離幅調整を示す図である。
【００２５】
この実施の形態の壁面塗膜除去装置１は、例えば、石油備蓄タンク等の垂直壁面２の塗り替えを行なう場合、壁面２の塗膜を除去するために用いられる。この壁面塗膜除去装置１は、壁面側を開口した箱状本体１０を有し、移動機構を構成する巻上げ装置３により箱状本体１０が吊り下げられて壁面２に沿って上下に移動可能になっている。
【００２６】
箱状本体１０は、外フレーム１１ａと内フレーム１１ｂを有し、内フレーム１１ｂは外フレーム１１ａに対して、図２及び図３に示すように、矢印方向に移動可能に支持されている。外フレーム１１ａには、箱状本体１０の開口縁を覆うカバー３１が設けられている。
【００２７】
内フレーム１１ｂには、駆動モータ１２と、駆動モータ１２で回転する回転軸１３とが設けられている。駆動モータ１２のスプロケット１４と、回転軸１３のスプロケット１５とにベルト１６が掛け渡され、駆動モータ１２の駆動によりベルト１６を介して回転軸１３が回転する。
【００２８】
回転軸１３には、軸方向に沿って鎖で構成した剥離部材１７の端部１７ａが多数固定されている。回転軸１３の回転による遠心力で、剥離部材１７は他端部が壁面２の塗膜２ａに接触して、塗膜２ａを壁面２から剥離する。
【００２９】
剥離部材１７は、この実施の形態では、チェーンを用いている。また、剥離部材１７の材質は、鉄材でもよく、あるいは硬質樹脂でもよい。チェーンにはしなやかさがあるので壁面２の凹凸の表面に対応が可能であり、壁面２に溶接線や段差などがある箇所でも作業が可能となる。
【００３０】
このように回転軸１３には、軸方向に沿って剥離部材１７の端部１７ａが多数固定されているが、この固定位置は、図４（ａ）に示すように、軸方向に沿って並列に設けてもよく、また図４（ｂ）に示すように、螺旋状に設けてもよい。
【００３１】
内フレーム１１ｂと外フレーム１１ａとの間には、図３に示すように、剥離調節手段１８を構成する伸縮ジャッキが設けられている。この剥離調節手段１８の作動で内フレーム１１ｂを外フレーム１１ａに対して図２及び図３の矢印方向へ移動する。これにより、図７（ａ）及び図７（ｂ）に示すように、内フレーム１１ｂに設けられた回転軸１３と壁面２の塗膜との距離Ｌ１，Ｌ２と移動すると、剥離部材１７が回転軸１３の回転による遠心力で描く軌跡による壁面２の塗膜の剥離幅ｈ１，ｈ２が変化し、塗膜や壁面の状態に応じた塗膜の剥離が可能で、壁面を痛めることなく、均一な塗膜除去作業が可能である。
【００３２】
このように、回転軸１３の回転による遠心力で、剥離部材１７を壁面２の塗膜に接触させて剥離することで、剥離部材１７はしなやかさがあるので壁面２の凹凸の表面に対応が可能であり、壁面２に溶接線や段差などがある箇所でも作業が可能となり、作業の機械化により作業能率を向上させ、しかも低コストで壁面を痛めることなく、均一な塗膜除去作業ができる。
【００３３】
また、駆動モータ１２と、回転軸１３と、剥離部材１７とを備える箱状本体１０を、移動機構を構成する巻上げ装置３により吊り下げられて壁面２に沿って上下に移動することで、作業能率を向上させることができる。
【００３４】
箱状本体１０の外フレーム１１ａには、重り３２が設けられ、箱状本体１０を壁面側に荷重を掛け、簡単な構造で箱状本体１０の揺れを防止することができ、均一な塗膜除去作業が可能である。
【００３５】
また、箱状本体１０には、開口縁を覆うカバー３１で溜部３３が設けられ、剥離した塗膜を溜部３３に溜めることで、剥離した塗膜の飛散を防止することができる。
【００３６】
また、箱状本体１０には、制御装置３５が設けられている。作業者がリモコン装置３６で操作することで、制御装置３５は、制御信号を受信する。制御装置３５は、遠隔操作により巻上げ装置３を駆動して壁面２に沿って上下に移動する。
また、制御装置３５は、駆動モータ１２を駆動して回転軸１３を回転し、遠心力で剥離部材１７は他端部が壁面２の塗膜２ａに接触して、塗膜２ａを壁面２から剥離する。さらに、制御装置３５は、剥離調節手段１８を構成する伸縮ジャッキを駆動し、剥離部材１７が回転軸１３の回転による遠心力で描く軌跡による壁面２の塗膜の剥離幅ｈ１，ｈ２を変化させる。
【００３７】
このように、制御装置３５で駆動モータ１２、剥離調節手段１８を構成する伸縮ジャッキ及び移動機構を構成する巻上げ装置３を遠隔操作することで、作業能率を向上させることができる。
【００３８】
なお、この実施の形態では、制御装置３５を無線で制御しているいが、これに限定されず、有線で遠隔操作するようにしてもよい。
【００３９】
次に、壁面塗膜除去装置の他の実施の形態を説明する。図８は壁面塗膜除去装置の他の実施の形態の構成図である。
【００４０】
この実施の形態の壁面塗膜除去装置は、図１乃至図７の実施の形態と同じ構成は、同じ符号を付して説明を省略する。この実施の形態では、移動機構を構成する巻上げ装置３により横桁５０が吊り下げられ、この横桁５０に横行装置５１が設けられている。横行装置５１に箱状本体１０が取り付けられている。
【００４１】
作業者がリモコン装置３６で操作することで、制御装置３５は、制御信号を受信し、巻上げ装置３を駆動して横桁５０を壁面２に沿って上下に移動し、横行装置５１を横桁５０に沿って移動することで、箱状本体１０を壁面に沿って左右に移動させることができる。
【００４２】
次に、壁面塗膜除去装置のさらに他の実施の形態を説明する。図９は壁面塗膜除去装置の構成図、図１０は壁面塗膜除去装置の内部の左側面図である。この実施の形態では、図１乃至図８の実施の形態と同じ構成は同じ符号を付して説明を省略する。この実施の形態では、外フレーム１１ａの下側に開口部５０を形成し、この開口部５０を覆うように集塵袋５１が取り付けられている。剥離した塗膜が開口部５０から集塵袋５１内に落下し、剥離した塗膜を集塵袋５１に溜めることで、剥離した塗膜の飛散を防止することができる。
【００４３】
【発明の効果】
前記したように、請求項１に記載の発明では、回転軸の回転による遠心力で、剥離部材を壁面の塗膜に接触させて剥離することで、剥離部材はしなやかさがあるので壁面の凹凸の表面に対応が可能であり、壁面に溶接線や段差などがある箇所でも作業が可能となり、作業の機械化により作業能率、作業環境の改善を向上させ、しかも低コストで壁面を痛めることなく、均一な塗膜除去作業ができる。
【００４４】
請求項２に記載の発明では、駆動モータと、回転軸と、剥離部材とを備える箱状本体を壁面に沿って移動させることで、作業能率を向上させることができる。
【００４５】
請求項３に記載の発明では、制御装置で駆動モータ及び移動機構を遠隔操作することで、作業能率を向上させることができる。
【００４６】
請求項４に記載の発明では、回転軸を移動させて剥離部材による壁面の塗膜の剥離幅を変化させることで、塗膜状態に応じた塗膜の剥離が可能であり、壁面を痛めることなく、均一な塗膜除去作業が可能である。
【図面の簡単な説明】
【図１】壁面塗膜除去装置の構成図である。
【図２】壁面塗膜除去装置の内部の左側面図である。
【図３】壁面塗膜除去装置の内部の右側面図である。
【図４】回転軸に剥離部材を取り付ける位置を示す図である。
【図５】回転停止状態を示す開口部側から見た図である。
【図６】回転状態を示す開口部側から見た図である。
【図７】塗装面の剥離幅調整を示す図である。
【図８】壁面塗膜除去装置の他の実施の形態の構成図である。
【図９】他の実施の形態の壁面塗膜除去装置の構成図である。
【図１０】他の実施の形態の壁面塗膜除去装置の内部の左側面図である。
【符号の説明】
１  壁面塗膜除去装置
１２  駆動モータ
１３  回転軸
１７  剥離部材
【図１】
0004902076.tif 000002
【図２】
0004902076.tif 000003
【図３】
0004902076.tif 000004
【図４】
0004902076.tif 000005
【図５】
0004902076.tif 000006
【図６】
0004902076.tif 000007
【図７】
0004902076.tif 000008
【図８】
0004902076.tif 000009
【図９】
0004902076.tif 000010
【図１０】
0004902076.tif 000011